(57)【特許請求の範囲】
【請求項１】
繊維製品本体に機能水を含浸させた繊維製品であって、前記機能水は、放射性鉱石粉末を陶磁器用粘土に混合して焼成することにより生成した焼成体を、原料水に浸漬させて得られる繊維製品を製造する方法であって、
放射性鉱石を粉砕して得られた放射性鉱石粉末を、陶磁器用粘土および水と混合して泥状にした後、所定の形状に成形して高温焼成を行うことにより焼成体を生成する焼成体生成工程と、
容器に貯留した原料水を加熱して沸騰前の高温に維持し、前記原料水に前記焼成体を所定時間浸漬させることにより、前記焼成体に含まれる成分が前記原料水に溶出した機能水を生成する機能水生成工程と、
生成された前記機能水を別の容器に移し替えて、前記機能水を加熱して沸騰させながら繊維製品本体を浸漬することにより、前記繊維製品本体に前記機能水が含浸された繊維製品を得る機能水含浸工程とを備える繊維製品の製造方法。
【請求項２】
前記機能水の加熱は、大気圧よりも高圧の加圧雰囲気、および／または、沸点上昇剤の添加により、前記機能水の沸点を上昇させて行う請求項１に記載の繊維製品の製造方法。
【発明の詳細な説明】
【技術分野】
【０００１】
本発明は、衣類や寝具等の繊維製品の製造方法に関する。
【背景技術】
【０００２】
従来の繊維製品として、特許文献１には、三仙石を主原料とする微粉末、および、薬草を原材料とする粉末を含有した人造繊維からなる繊維製品が開示されている。この繊維製品は、含有する三仙石の遠赤外効果により血液循環を促して身体の活性化等を図ることができるとされているが、繊維製品の原料となる人造繊維の製造段階において三仙石等を配合する必要があることから、既存の繊維製品の改良には適用できないという問題があった。
【先行技術文献】
【特許文献】
【０００３】
【特許文献１】特開２０００−７３２２６号公報
【発明の概要】
【発明が解決しようとする課題】
【０００４】
そこで、本発明は、使用者の快適性を高めた製造容易な繊維製品の製造方法の提供を目的とする。
【課題を解決するための手段】
【０００５】
本発明の前記目的は、繊維製品本体に機能水を含浸させた繊維製品であって、前記機能水は、放射性鉱石粉末を陶磁器用粘土に混合して焼成することにより生成した焼成体を、原料水に浸漬させて得られる繊維製品を製造する方法であって、放射性鉱石を粉砕して得られた放射性鉱石粉末を、陶磁器用粘土および水と混合して泥状にした後、所定の形状に成形して高温焼成を行うことにより焼成体を生成する焼成体生成工程と、容器に貯留した原料水を加熱して沸騰前の高温に維持し、前記原料水に前記焼成体を所定時間浸漬させることにより、前記焼成体に含まれる成分が前記原料水に溶出した機能水を生成する機能水生成工程と、生成された前記機能水を別の容器に移し替えて、前記機能水を加熱して沸騰させながら繊維製品本体を浸漬することにより、前記繊維製品本体に前記機能水が含浸された繊維製品を得る機能水含浸工程とを備える繊維製品の製造方法により達成される。
【０００６】
この繊維製品の製造方法において、前記機能水の加熱は、大気圧よりも高圧の加圧雰囲気、および／または、沸点上昇剤の添加により、前記機能水の沸点を上昇させて行うことが好ましい。
【発明の効果】
【０００７】
本発明によれば、使用者の快適性を高めた製造容易な繊維製品の製造方法を提供することができる。
【図面の簡単な説明】
【０００８】
【図１】本発明の一実施形態に係る繊維製品の平面図である。
【図２】図１に示す繊維製品の製造工程図である。
【発明を実施するための形態】
【０００９】
以下、本発明の一実施形態について添付図面を参照しつつ説明する。図１は、本発明の一実施形態に係る繊維製品の平面図である。図１に示す繊維製品１は、市販されている一般的なＴシャツに、後述する機能水を浸漬により含浸させることにより、使用者の快適性向上を図ったものである。
【００１０】
繊維製品は、特に限定されるものではないが、使用者の身体に接触する状態で使用される吸水性の高いものが好ましく、Ｔシャツ以外に、例えば、ジャージ、ポロシャツ、スラックス、スカート、靴下、マフラー、帽子、下着などの衣類や、枕カバー、布団、シーツなどの寝具を挙げることができる。繊維の種類も特に限定はなく、レーヨンやポリエステルなどの化学繊維や、麻、羊毛などの天然繊維を例示することができる。
【００１１】
次に、本実施形態に係る繊維製品の製造方法について、図２に示す工程図を参照しながら説明する。まず、放射性鉱石を粉砕して得られた放射性鉱石粉末を、陶磁器の原料である陶磁器用粘土および水と混合して泥状にした後、所定の形状に成形し、陶芸用の窯などにより高温焼成（例えば、焼成温度１２００〜１３００℃）を行うことにより、図２（ａ）に示す焼成体２を生成する（焼成体生成工程）。放射性鉱石は、放射性元素を含む公知の鉱石を使用することができ、例えば、ゲルマニウム鉱石、ラジウム鉱石（花崗岩）、トルマリン等の種々の天然鉱石を挙げることができる。また、陶磁器用粘土としては、蛙目粘土、木節粘土、カオリン粘土などを例示することができる。
【００１２】
好ましい一例として、ゲルマニウム鉱石を含む平均粒径が約１０μｍの放射性鉱石粉末、陶磁器用粘土および水を、それぞれ３：５：２の重量比で混合した後、３ｃｍ×５ｃｍの矩形状で厚みが１ｃｍ程度の板状体に成形して、１２４０℃で焼成することにより、焼成体２を生成することができる。
【００１３】
次に、図２（ｂ）に示すように、容器４に貯留した原料水６を加熱して沸騰前の高温（例えば、約７０℃）に維持し、この原料水６に上記の焼成体２を所定時間（例えば、約２４時間）浸漬させることにより、焼成体に含まれる成分が原料水６に溶出した機能水を生成する（機能水生成工程）。原料水６は、例えば、水道水を煮沸して溶存する塩素や酸素などを除去した脱気水を好ましく使用することができる。原料水６に浸漬させる焼成体２は、原料水６の量に応じて適宜の大きさ・数を使用すればよく、例えば、焼成体２が上述した３ｃｍ×５ｃｍ×１ｃｍの板状体である場合、２リットルの原料水６毎に焼成体２を１つ浸漬させるとよい。
【００１４】
ついで、図２（ｃ）に示すように、生成された機能水６’を別の容器４’に移し替えて、機能水６’を加熱しながら、市販のＴシャツなど改良対象となる繊維製品本体１０を浸漬することにより、繊維製品本体１０に機能水６’が含浸された繊維製品が得られる（機能水含浸工程）。繊維製品本体１０に含浸させる機能水６’は沸騰水であることが好ましく、沸騰後も沸騰状態を維持しながら、或いは、沸騰後に加熱を停止して、繊維製品本体１０を所定時間（例えば、３０分以上）浸漬することにより、予め繊維製品本体１０に吸収されていた水分と機能水６’との置換が促され、繊維製品本体１０に対する機能水６’の含浸を効果的に行うことができる。この機能水含浸工程においては、上記の機能水生成工程において、鉱石成分が異なる複数種類の焼成体をそれぞれ異なる容器に収容して生成した２種類以上の機能水を、適宜混合して使用することもできる。
【００１５】
機能水６’の加熱沸騰は、沸点上昇剤を適宜添加（例えば、苛性ソーダを主成分とするものを１％程度添加）することにより、機能水６’の沸点を上昇させて行うことが好ましく、これによって機能水６’の蒸発時における圧力を高めることができ、繊維製品本体１０の全体に機能水６’をより容易に含浸させることができる。機能水６’の沸点上昇は、容器４’を圧力釜等から構成し、上述した沸点上昇剤の添加に代えて、あるいは、沸点上昇剤の添加と共に、大気圧よりも高圧の加圧雰囲気において加熱することによっても可能である。こうして得られた繊維製品１は、含浸させた機能水が乾燥後も繊維間に保持されることにより、身体の活性化を促すことができ、新陳代謝の促進や老廃物の除去などの効果を得ることができる。
【００１６】
本実施形態の繊維製品１は、放射性鉱石粉末を陶磁器用粘土に混合して焼成することにより生成した焼成体２を、原料水６に浸漬させて機能水６’を生成し、この機能水６’を繊維製品本体１０に含浸させることにより得られるので、繊維製品本体１０としては市販品など既存のものを使用することができ、使用者の快適性を高めた繊維製品１を容易に得ることができる。
【符号の説明】
【００１７】
１  繊維製品
２  焼成体
４  容器
６  原料水
６’  機能水
１０  繊維製品本体
【図１】
0006516333.tif 000002
【図２】
0006516333.tif 000003